(57)【要約】【課題】回動可能なミラーを有する撮影装置のためのミラー装置において、上記ミラーの回動位置の繰り返し位置精度のよい装置を提供する。【解決手段】ミラー装置１０のミラーユニット３は、メインミラー５を保持するメインミラー枠４と、サブミラー７を保持するサブミラー枠６とからなり、メインミラー枠４の両端の回動軸部４ａ，４ｂがミラーボックス１とミラー調整板８とに回動可能に支持され、観察状態と退避状態とに切り換え時、メインミラー枠４は、上記回動軸部を中心に回動駆動され、該回動軸部は、ミラーボックス１およびミラー調整板８のＶ字部を有する軸受け部１ｄ，８ｄに押圧ばねによるＶ字部方向の付勢力を受けて嵌入し、それぞれ上記軸受け部の２点が上記Ｖ字部に当接した状態で支持されるので、繰り返し駆動された場合でも回動軸部と軸受け部との相対嵌合位置は変化せず、繰り返し精度よいミラーの回動状態が得られる。【選択図】図７
2007114511.tif 000002
【特許請求の範囲】
【請求項１】
撮影光束を反射し、回動可能で少なくとも一つの所定位置に静止するミラー手段と、
上記ミラー手段を回動させるため、一対の軸端部を有し、回動する回動軸と、
上記軸端部の一端近傍を受ける軸受け部であって、該端部外周の円周方向の２点を受ける第一の軸受けと、
上記軸端部の他端近傍を受ける軸受け部であって、該端部外周の円周方向の２点を受ける第二の軸受けと、
を有する撮像装置のためのミラー装置。
【請求項２】
さらに、上記軸端部の一端を上記第一の軸受けの上記２点上に押圧するため、軸端部の一端を直接押圧する第一のばねと、
上記軸端部の他端を上記第二の軸受の上記２点上に、間接的に押圧する第二のばねと、
を有する請求項１に記載の撮像装置のためのミラー装置。
【請求項３】
上記ミラー手段には、該ミラー手段を所定の位置に押圧するための突部を有し、該突部に上記第二のばねの付勢力が付勢されていることを特徴とする請求項２に記載の撮像装置のためのミラー装置。
【請求項４】
上記第二のばねは、上記ミラー手段が上記所定位置に位置するように付勢することを特徴とする請求項２に記載の撮像装置のためのミラー装置。
【請求項５】
上記第一の軸受けの上記２点と上記第二の軸受けの上記２点とは、上記回動軸の円周方向において互いに異なる位置に位置していることを特徴とする請求項２に記載の撮像装置のためのミラー装置。
【発明の詳細な説明】
【技術分野】
【０００１】
本発明は、撮像装置のためのミラー装置に関する。
【背景技術】
【０００２】
従来、撮像装置である一眼レフカメラに適用されるミラー装置として、被写体像観察用メインミラーと該ミラーに対して回動可能に支持される測距用サブミラーとを有するミラー装置では、特に上記メインミラーおよびサブミラーを撮影光軸および測距光軸に対して精度よく位置決めするために上記メインミラーの軸部は、上記各ミラーを支持するミラーボックスに対してガタなく位置決めする必要がある。
【０００３】
特許文献１に開示されたカメラのミラー装置におけるメインミラーの軸部は、ミラーボックスのＵ字状穴部に挿入され、板ばねにより押圧された状態でガタなく位置決めして、支持されている。
【特許文献１】特許文献１は、特許公報２６０７７１５号である。
【発明の開示】
【発明が解決しようとする課題】
【０００４】
しかし、上述した特許文献１に開示されたミラー機構における上記メインミラーの軸部は、上記軸部と略同曲率のＵ字穴に嵌入した状態にあるが、上記板ばねの押圧方向と直交する方向の厳密な位置決めが必ずしも十分とは言えず、上記メインミラーが繰り返し移動した際、わずかに位置ずれするおそれがあり、繰り返し精度のよい位置決めがなされない可能性がある。
【０００５】
本発明は、上述の問題を解決するためになされたものであり、ミラー手段を回動させるための軸部の位置ずれの発生が防止できる撮像装置のためのミラー装置を提供することを目的とする。
【課題を解決するための手段】
【０００６】
本発明の請求項１に記載の撮像装置のためのミラー装置は、撮影光束を反射し、回動可能で少なくとも一つの所定位置に静止するミラー手段と、上記ミラー手段を回動させるため、一対の軸端部を有し、回動する回動軸と、上記軸端部の一端近傍を受ける軸受部であって、該端部外周の円周方向の２点を受ける第一の軸受と、上記軸端部の他端近傍を受ける軸受部であって、該端部外周の円周方向の２点を受ける第二の軸受とを有する。
【０００７】
本発明の請求項２に記載の撮像装置のためのミラー装置は、請求項１に記載の撮像装置のためのミラー装置において、さらに、上記軸端部の一端を上記第一の軸受の上記２点上に押圧するため、軸端部の一端を直接押圧する第一のばねと、上記軸端部の他端を上記第二の軸受の上記２点上に、間接的に押圧する第二のばねとを有する。
【０００８】
本発明の請求項３に記載の撮像装置のためのミラー装置は、請求項２に記載の撮像装置のためのミラー装置において、上記ミラー手段には、該ミラー手段を所定の位置に押圧するための突部を有し、該突部に上記第二のばねの付勢力が付勢されている。
【０００９】
本発明の請求項４に記載の撮像装置のためのミラー装置は、請求項２に記載の撮像装置のためのミラー装置において、上記第二のばねは、上記ミラー手段が上記所定位置に位置するように付勢する。
【００１０】
本発明の請求項５に記載の撮像装置のためのミラー装置は、請求項２に記載の撮像装置のためのミラー装置において、上記第一の軸受の上記２点と上記第二の軸受の上記２点とは、上記回動軸の円周方向において互いに異なる位置に位置している。
【発明の効果】
【００１１】
本発明によれば、回動可能に支持されるミラー手段を有するミラー装置において、上記ミラー手段の回動支持位置の繰り返し位置精度のよいミラー装置を提供することができる。
【発明を実施するための最良の形態】
【００１２】
以下、図を用いて本発明の実施形態を説明する。  
図１は、本発明の第一の実施形態のミラー角度調整装置を内蔵する一眼レフレックスカメラのためのミラー装置を左側前方から見た分解斜視図である。図２は、上記ミラー装置を前方側（マウント側）から見た斜視図である。図３は、上記ミラー装置を左側（ミラーチャージレバー側）から見た斜視図である。図４は、上記ミラー装置の左側面図である。図５は、上記ミラー装置を右側（ミラー調整板側）から見た斜視図である。図６は、上記ミラー装置のミラー調整板を外した状態を右側後方から見た分解斜視図である。図７は、上記ミラー装置のミラー調整板を外した状態を左側後方から見た分解斜視図である。図８は、上記ミラー装置のミラーユニットを右側から見た分解斜視図である。図９は、上記ミラーユニットを左側から見た分解斜視図である。図１０は、上記ミラーユニットが観察位置にあるときの右側面図である。図１１は、上記ミラー装置のミラー調整板を内側後方より見た斜視図である。図１２は、上記ミラー装置のミラー調整板を内側前方より見た斜視図である。
【００１３】
本実施形態のミラー装置１０は、一眼レフレックスカメラに適用され、ミラー角度調整装置を内蔵している。該ミラー装置１０は、図１に示すように中央開口部１ａを有する固定部材であるミラーボックス１と、該ミラーボックス１に組み込まれる部材として、該開口部１ａ内に配されるミラーユニット３と、該ミラーユニット３の位置調整を行うための調整部材としてのミラー調整板８と、ミラーユニットをチャージ駆動するためのミラーチャージレバー９と、該レバー９をカバーするミラーチャージレバー蓋１１と、撮像素子であるＣＣＤの露光制御を行うためのシャッタユニット３２と、シャッタユニット３２のシャッタチャージレバー３４およびミラーチャージレバー９のチャージ駆動を行うためのチャージ駆動ユニット３６と、被写体の測距を行うためのＡＦユニット３８とを有している。
【００１４】
なお、上記ミラー角度調整装置は、ミラーボックス１に組み込まれており、主にミラーユニット３と、ミラー調整板８とからなる。
【００１５】
ミラーボックス１は、デジタル一眼レフカメラの外装を兼ねるカメラボディ（図示せず）内に固定支持され、このミラーボックス１の中央開口部１ａを通り、ミラーボックス１の前面部に装着されるレンズ鏡筒の光軸と一致する撮影光軸Ｏ1 を有している。
【００１６】
なお、説明において、撮影光軸Ｏ1 に対して直交する軸と平行な左右方向をＸ方向とし、該左右方向は、レンズ鏡筒側から見た左右で示す。また、光軸Ｏ1 に対して直交する軸と平行な上下方向をＹ方向とする。光軸Ｏ1 方向のレンズ鏡筒側を前方とし、撮像素子であるＣＣＤ（後述）側を後方とする。また、光軸Ｏ1 に対して直交し、メインミラー５（後述）中心部から上方に向けた光軸を観察光軸Ｏ2 とする。さらに、光軸Ｏ1 と交差し、サブミラー７（後述）の中心部から下方に所定の角度で傾斜した光軸を測距光軸Ｏ3 とする（図１７）。
【００１７】
ミラーボックス１の中央開口部１ａの前面部には、レンズ鏡筒（図示せず）を装着するためのリング状のボディマウント２が固着されている。ミラーボックス１の上方部の観察光軸Ｏ2 上には、焦点板３９が配される（図１８）。また、ミラーボックス１の後方（ボディマウント２の反対側）のシャッタユニット３２の背面側の光軸Ｏ1 上には、ＣＣＤ４０が位置決めして装着される（図１８）。さらに、ミラーボックス１の下方開口部１ｂの下部には測距光軸Ｏ3 上にＡＦユニット３８が配される。
【００１８】
シャッタユニット３２は、ミラーボックス１の後方（背面側）に取り付けられるユニットであり、シャッタ羽根３５と該シャッタ羽根３５を開閉制御駆動するためのシャッタ制御部３３とシャッタ制御部３３のチャージを行うためのシャッタチャージレバー３４と、シャッタユニット前面部に貼付して配され、開口部３１ａをもつシャッタマスク３１とを有している。
【００１９】
チャージ駆動ユニット３６は、駆動モータ３７と、駆動力伝達ギヤ列（図示せず）と、駆動カム部（図示せず）を有しており、カメラの撮影タイミング合わせて駆動モータ３７が駆動され、シャッタチャージレバー３４およびミラーチャージレバー９を回動駆動し、シャッタユニット３２およびミラーユニット３のチャージを行う。
【００２０】
ＡＦユニット３８は、ミラーボックス１の下方部に装着され、内部に測距光軸Ｏ3 を有する測距光学系（図示せず）および測距センサ３８Ａが内蔵されている（図１８）。この測距センサ３８Ａは、被写体に対して複数の測距ポイントの測距が可能なセンサである。
【００２１】
ミラーユニット３は、第一の反射ミラーとしてのファインダ光学系の主反射ミラーであるメインミラー５と、第二の反射ミラーとしての測距用の副反射ミラーであるサブミラー７を有しており、メインミラー５はミラーボックス１に回動可能に支持されるメインミラー枠４に、また、サブミラー７はメインミラー枠４に相対的回動可能に支持されるサブミラー枠６にそれぞれ貼付して保持される。
【００２２】
メインミラー５は、撮影光路内にあって光軸Ｏ1 に沿った撮影光束を観察光軸Ｏ2 に沿って焦点板３９側に反射する所定位置である第一の位置であって、ファインダ観察状態における観察位置（ミラーダウン位置）と、上記撮影光束の光路から退避した第二の位置の退避位置（ミラーアップ位置）とに回動駆動される。サブミラー７は、メインミラー５が観察位置にあるとき、メインミラー５を透過した撮影光束の一部を測距光束として測距光軸Ｏ3 に沿ってＡＦユニット３８側に反射する測距位置と、メインミラー５とともに光軸Ｏ1 から退避した折りたたみ位置とに回動移動する。
【００２３】
メインミラー枠４には、図８，９に示すようにメインミラー５が貼付される凹部４ｉと、一対の軸端部であって左端部（一端）に突出する回動軸部（回動軸）４ａおよび右端部（他端）に突出する回動軸部（回動軸）４ｂと、回動軸部４ａの近傍位置に突出し、溝部４ｄをもつ突部４ｃと、凹部４ｉ寄り側面に回動軸部４ａ，４ｂに対して平行な位置に突出する一対の回動軸部であって、第二の反射ミラーの回動軸心となるサブミラー支持軸部４ｅ，４ｆとが設けられる。なお、回動軸部４ａ，４ｂの中心軸は、略メインミラー５の反射面に沿った面上に位置する。
【００２４】
メインミラー５の測距領域に対応する中央部は、ハ−フミラ−で形成されており、一部の撮影光束が測距用光束としてサブミラー７側に透過される。
【００２５】
サブミラー枠６には、図８，９に示すようにサブミラー７が貼付される凸部６ｇで囲まれる凹部６ｆと、一対の回動部となり、左右側面に設けられる軸穴部（軸受け部）６ａ，６ｂと、軸穴部６ｂの反サブミラー位置側に突出する突部６ｃとが設けられる。軸穴部６ａ，６ｂの中心は、サブミラー７の反射面の略延出面上に位置する。そして、サブミラー枠付勢用のＵ字状ばねであるサブミラーばね１６がメインミラー枠４とサブミラー枠６との間に懸架されている。
【００２６】
サブミラー枠６は、メインミラー枠４の支持軸部４ｅ，４ｆに軸穴部６ａ，６ｂをサブミラー枠６を弾性変形させて間隔を広げながら嵌入させて組み付けられ、メインミラー枠４に対して回動自在に支持される。
【００２７】
また、サブミラーばね１６は、メインミラー枠４の右側面の支持軸部４ｆの外周部に挿入され、フック一端部がメインミラー枠４のばね穴４ｇに、フック他端部がサブミラー枠６のばね穴６ｄに係合して装着される。そして、サブミラーばね１６の回動付勢力の作用方向は、サブミラー枠６の回動姿勢で切り換わる。すなわち、図１０，１８に示すようにミラーユニット３がファインダ観察状態（メインミラー５が撮影光路上の観察位置４Ｂにある）にあるときは、サブミラー枠６をメインミラー枠４に対して開く方向に付勢する（図１０上で反時計回りに付勢する）。図１８に示す撮影状態（メインミラー５が撮影光路から退避した退避位置４Ａにある）にあるときは、サブミラー枠６をメインミラー枠４に対して折りたたまれる方向に付勢する（図１０上で時計回りに付勢する）。
【００２８】
メインミラー枠４に設けられる支持軸部４ｅ，４ｆは、円形断面の軸端部で形成されている。また、サブミラー枠６の左側面に設けられる軸穴部６ａは、円形穴であり、支持軸部４ｅが回転可能な状態で嵌合する。さらに、サブミラー枠６の右側面に設けられる軸穴部６ｂは、Ｖ字形状部と円弧穴部とからなり、支持軸部４ｆがサブミラーばね１６の付勢力を受けて上記Ｖ字形状部に当接して支持される。
【００２９】
図１３は、支持軸部４ｆが軸穴部６ｂに嵌入し、Ｖ字形状部に当接した状態を示している。ミラーユニット３が観察状態にあるとき（図１０，１８）、サブミラーばね１６の付勢力Ｆ3 が作用して支持軸部４ｆは、軸穴部６ｂのＶ字形状部の異なる２点６b1，６b2で確実に当接する。このように当接させることによりサブミラー枠６は、ガタなく、かつ、回動可能に支持され、メインミラー枠４に対して繰り返し精度のよい相対的傾斜姿勢で保持される。
【００３０】
ミラーチャージレバー９は、回動可能な部材であって、ミラーボックス１の左外壁面部に取り付けられる（図３，４）。このミラーチャージレバー９には軸穴部９ａと、被駆動端部９ｂと、ミラーチャージ駆動面部９ｃと、ばね掛け部９ｄ，９ｆと、突状ばね支持部９ｅとが設けられる。
【００３１】
ミラーチャージレバー９が装着されるミラーボックス１の左外壁面部には、中央部に軸穴部９ａが回動可能に嵌入するボス部１ｃと、上方部にメインミラー枠４の回動軸部４ａを支持する第二の軸受けである軸穴部１ｄと、軸穴部１ｄの近傍にメインミラー枠４の突部４ｃを壁外方に突出させるための開口部１ｇと、ばね掛け突部１ｅと、下方部にミラーチャージレバー９のチャージ位置を決めるストッパ１ｆとが設けられる。
【００３２】
ボス部１ｃにはミラーチャージレバー９の軸穴部９ａが回動可能な状態で嵌入してビス４１により取り付けされるが、該レバー９の軸穴部９ａのボス部外周にはさらにミラーアップばね１２のコイル部が巻回装着される。該ばね１２の一端は、ばね掛け突部１ｅに、他端は、ばね掛け部９ｄにそれぞれ懸架されており、このミラーアップばね１２によりミラーチャージレバー９は、時計回り（図４上）に付勢され、その付勢力を受けてメインミラー枠４がミラーアップ方向の反時計回り（図４上）に付勢される。
【００３３】
ミラーチャージレバー９のばね支持部９ｅには、第二のばねであるミラーダウンばね１３のコイル部が巻回装着される。該ばね１３の一端は、ばね掛け部９ｆに、他端は、メインミラー枠４の突部４ｃの内側に配される溝部４ｄにそれぞれ懸架され、ミラーダウンばね１３は、メインミラー枠４をミラーダウン方向の時計回り（図４上）に付勢する。
【００３４】
なお、ミラーアップばね１２のミラーチャージレバー９に対する付勢回転力は、ミラーダウンばね１３により受ける付勢回転力より大きく、ミラーチャージレバー９のチャージ力が解放された状態では、ミラーユニット３のメインミラー枠４を観察位置から退避位置へのミラーアップ方向に回動駆動するに十分な付勢力である。
【００３５】
メインミラー枠４がミラーアップ位置にあるとき、ミラーチャージレバー９がチャージ駆動ユニット３６の駆動カム部を介して押圧されると、反時計回り（図４上）に回動駆動され、ミラーダウンばね１３の付勢力が作用してメインミラー枠４は、ミラーダウン位置に向けて時計回り（図４上）に回動駆動される。また、ミラーダウン位置にあるとき、上記駆動カム部が押圧位置から後退すると、ミラーアップばね１２の付勢力によりミラーチャージレバー９が時計回り（図４上）に回動し、ミラーチャージ駆動面部９ｃがメインミラー枠４の突部４ｃを押圧してメインミラー枠４がミラーアップ位置に回動する。
【００３６】
ミラー調整板８は、板形状の部材であり、ミラーボックス１の右外壁面部に取り付けられる（図５，６）。ミラー調整板８には、中央部に固定用ビス挿通穴８ａと、ガイド手段である２つの長穴状調整ガイド穴８ｂ，８ｃと、２つの副固定用ビス挿通穴８ｇ，８ｈと、ばね掛け部８ｆと、小開口穴８ｋとが設けられる。そして、ミラーボックス１の右外壁面側となる内面部には、第一の軸受けとなるＶ字状溝８ｄと、対向する２つの突部で形成されるサブミラー枠駆動用カム部８ｅと、ばね支持突起部８ｉと、ばね掛け部８ｊとが配されており、該内面部側に偏心ピン部が突出する第二の反射ミラー用当接部材としてのサブミラー調整ピン１９が取り付けられている（図１１，１２）。
【００３７】
一方、ミラー調整板８が取り付けられるミラーボックス１の右外壁面部には、ビス挿通穴８ａに対応するビス穴１ｈをもつボス部と、調整ガイド穴８ｂ，８ｃにスライド可能に挿入するガイド手段としての２つのガイドピン１ｉ，１ｊと、副固定用ビス挿通穴８ｇ，８ｈに対応するビス穴１ｋ，１ｎをもつボス部と、突起状ばね支持部１ｍと、ばね掛け部１ｐと、カム部８ｅ挿入のための開口部１ｑと、サブミラー調整ピン１９の逃げ用切り欠き部１ｒとが設けられ、さらに、ミラーボックス内面部に偏心ピン部が突出した状態で第一の反射ミラー用当接部材であるメインミラー調整ピン１８が取り付けられている（図６）。
【００３８】
２つのガイドピン１ｉ，１ｊは、メインミラー５の反射面に沿った方向、すなわち、光軸Ｏ1 に対して４５°傾斜した方向（前下がり）に沿って配されている。そして、ミラー調整板８のＶ字状溝８ｄの軸受け中心位置は、略調整ガイド穴８ｂ，８ｃの延長線上の後方上部に位置する。
【００３９】
Ｖ字状溝８ｄには、メインミラー枠４の円形断面の一方の回動軸部４ｂが挿入される。ばね支持突起部８ｉに挿入される第一のばねである軸押圧ばね１５の一方のフック部がばね掛け部８ｊに懸架され、他方のフック部で回動軸部４ｂを後方に向けて押圧しており、回動軸部４ｂは、Ｖ字状溝８ｄに当接した状態で保持される。
【００４０】
なお、小開口穴８ｋは、Ｖ字状溝８ｄの前側に隣接して配されており、この小開口穴８ｋよりピン状の工具を挿入して軸押圧ばね１５のフック部を回動軸部４ｂに確実に懸架させ、確認することができる。
【００４１】
図１４は、回動軸部４ｂがＶ字状溝８ｄで支持された状態を示している。回動軸部４ｂは軸押圧ばね１５の後方への付勢力Ｆ2 を受けて回動軸部４ｂの円周方向の２点がＶ字状溝８ｄのＶ字部分の２点８d1，８d2にて当接して支持される。従って、回動軸部４ｂは、ガタのない状態で、かつ、回動可能な状態に支持され、メインミラー枠４は、繰り返し精度のよい傾斜姿勢に支持できる。なお、一般的に円形断面、または、Ｕ字状の軸受け部に丸軸を回動可能な状態で嵌入させた状態では、上記軸受け部に対する上記丸軸の相対嵌合位置は、繰り返し動作時、上記丸軸に作用する力の大きさ、あるいは、力の作用方向の微妙な変化によって力の作用方向と直交する方向にガタ分、わずかに変化する可能性を有しており、上記相対嵌合位置の繰り返し精度は、必ずしもよいとはいえない。
【００４２】
メインミラー枠４の他方の回動軸部４ａは、ミラーボックス１の左外壁面部の後方上部に配される軸穴部１ｄに挿入され、支持される（図３）。
【００４３】
図１５は、回動軸部４ａが軸穴部１ｄで支持された状態を示している。回動軸部４ａは、円形断面を有しているが、軸穴部１ｄは、Ｖ字形状部と円弧穴部とからなる。回動軸部４ａは、ミラーダウンばね１３により突部４ｃを介した下方向の付勢力Ｆ1 を受け、回動軸部４ａの円周方向の２点が上記Ｖ字形状部の異なる２点１d1，１d2に当接して支持される。従って、回動軸部４ａは、ガタのない状態で、かつ、回動可能な状態に支持され、メインミラー枠４は、繰り返し精度のよい傾斜姿勢で支持される。
【００４４】
ミラーユニット３において、サブミラー枠６（サブミラー７）の左右の傾き、すなわち、測距光軸Ｏ3 の左右方向の傾斜成分を調整するには、上述したメインミラー枠４の回動軸部４ａ，４ｂに支持状態、すなわち、一方の回動軸部４ａ側がミラーボックス１に回動可能に支持され、他方の回動軸部４ｂが揺動して位置調整可能なミラー調整板８により支持された状態のもとで、ミラー調整板８を２つのガイドピン１ｉ，１ｊに沿って移動させ、位置調整すると、回動軸部４ｂ側がガイドピン１ｉ，１ｊの方向（メインミラー反射面）に沿って移動するので、メインミラー５の反射面の光軸Ｏ1 に対する傾斜をほとんど変化させることなく、サブミラー枠６上のサブミラー７の反射面の傾斜の左右成分を調整することができる。この調整方法の詳細は、図１７〜図１９を用いて後で説明する。
【００４５】
なお、ばね支持部１ｍにビス４４を螺着して装着された調整板付勢ばね１４のフック部がミラー調整板８のばね掛け部８ｆに懸架されており、ミラー調整板８は、ミラーボックス１のガイドピン１ｉ，１ｊ線上から偏った位置で斜め下方前方に向けた付勢力を受けている。従って、回動軸部４ｂの位置調整を行う際、ミラー調整板８は、調整ガイド穴８ｂ，８ｃがガイドピン１ｉ，１ｊに対してガタつくことなく、該ばねの付勢力に抗して移動させながら調整を行うことができ、容易に精度よく位置調整することができる。
【００４６】
メインミラー調整ピン１８の頭部１８ｃは、図１６の断面図に示すように軸部１８ｂに対して偏心しており、偏心ピン部となる頭部１８ｃをミラーボックス内部に突出した状態で軸部１８ｂをミラーボックス１の右外壁面部に嵌入してかしめにより回動可能な状態で取り付られる。調整ピン１８の軸部かしめ側には六角穴１８ａが設けられており、六角穴１８ａにより回動操作することにより該調整ピン１８が回転する。そして、該調整ピン１８の頭部１８ｃの外周にはメインミラー枠４の背面当接部４ｈ（図８）が当接する（図１８）。従って、該調整ピン１８の回転位置によってメインミラー枠４の傾きを調整することができる。
【００４７】
サブミラー調整ピン１９もメインミラー調整ピン１８と同様の偏心ピン構造を有しており、ミラー調整板８の内側に偏心ピン部となる頭部が突出した状態で軸部かしめにより回動可能に取り付けられる。また、軸部かしめ側には、六角穴部１９ａが設けられている（図５）。六角穴部１９ａにより回動することにより該調整ピン１９が回転する。また、該調整ピン１９の頭部外周にはサブミラー枠６の背面当接部６ｅ（図８）が当接する（図１８）。従って、該調整ピン１９の回転位置によってサブミラー枠６の傾きを調整することができる。これらの調整ピン１８，１９によるミラー調整方法の詳細は後で説明する。
【００４８】
ミラー装置１０におけるミラー角度切り換え動作およびミラー角度調整方法について、図１７〜１９を用いて説明する。  
図１７は、上記ミラー装置におけるミラーユニットの観察光軸Ｏ2 および測距光軸Ｏ3 の傾斜調整状態を示す模式図である。図１８は、上記ミラー装置におけるメインミラーとサブミラーの角度切り換え状態を示す模式的側面図である。図１９は、図１８をＡ方向から見た図であって、上記ミラー装置において、メインミラー枠の回動軸部を位置調整したときの測距光軸Ｏ3 の変化状態を示す。
【００４９】
ミラー装置１０におけるミラーユニット３は、観察状態にあるときは、チャージ駆動ユニット３６によりミラーチャージレバー９の被駆動端部９ｂが押圧され、反時計回り（図１，４）に回動している（図４）。その状態では該レバー９のミラーチャージ駆動面部９ｃが下方位置に回動しており、メインミラー枠４の突部４ｃとミラーチャージ駆動面部９ｃとは離間している。メインミラー枠４とメインミラー５は、ミラーダウンばね１３の付勢力で時計回り（図４上）に回動し、メインミラー枠４がメインミラー調整ピン１８に当接して位置規制され、撮影光路中にミラー反射面が４５°傾斜した観察位置（ミラーダウン位置）４Ｂにある。
【００５０】
一方、サブミラー枠６とサブミラー７は、メインミラー枠４とともに撮影光路中に移動するとき、ミラー調整板８のカム部８ｅにより突部６ｃが駆動され、メインミラー枠４に対して相対的に時計回り（図１上、なお、図１０上では反時計回り）に回動し、開き位置（測距位置）に位置する（図１８）。この開き状態では、サブミラー枠６は、サブミラーばね１６の付勢力を受けてサブミラー調整ピン１９に当接した状態で上記開き位置が位置決めされる。
【００５１】
上述したミラーユニット３の観察状態では、撮影レンズからの撮影光束は、観察光束としてメインミラー５により観察光軸Ｏ2 の方向に反射され、ミラーボックス１の上方に配される焦点板３９上に結像する。撮影光束の一部は、測距光束としてメインミラー５のハ−フミラ−部を透過し、上記開き位置にあるサブミラー７により測距光軸Ｏ3 に沿って反射され、ＡＦユニット３８の受光部に入射する。
【００５２】
続いて、撮影のためＣＣＤの露光が実行される場合、チャージ駆動ユニット３６の駆動カム部の回転に伴い、ミラーチャージレバー９の被駆動端部９ｂが解放され、該レバー９がミラーアップばね１２の付勢力により時計回り（図４上）に回動する。該レバー９の回動によりメインミラー枠４の突部４ｃがミラーチャージ駆動面部９ｃに押圧され、メインミラー枠４が回動軸部４ａ，４ｂ中心にミラーアップ方向へ反時計回り（図４上）に回動し、撮影光路から退避した退避位置（ミラーアップ位置）４Ａに移動する（図１８）。メインミラー枠４の上記退避位置は、ミラーチャージレバー９がミラーボックス１のストッパ１ｆに当接して位置決めされる。
【００５３】
メインミラー枠４が退避位置へ回動するとき、サブミラー枠６の突部６ｃがミラー調整板８のカム部８ｅにより駆動され、サブミラー枠６が観察状態での開き位置から撮影光路から退避した折りたたみ位置６Ａに回動する。この折りたたみ状態では、サブミラー枠６は、サブミラーばね１６の反転回転付勢力を受けて上記折りたたみ位置に保持される。
【００５４】
次に、ミラーユニット３のミラー傾斜角度調整方法について説明する。まず、ミラーユニット３を観察状態にセット（メインミラー５を観察位置にセット）する。その状態では、ミラーダウンばね１３の付勢力によりメインミラー枠４の背面当接部４ｈ（図８）がメインミラー調整ピン１８の頭部１８ｃの外周に当接している（図１８）。その当接状態で六角穴１８ａにより該調整ピン１８を回転調整すると、メインミラー枠４（メインミラー５の反射面）がＤ1 方向に微少回動する。その回動により光軸Ｏ1 を含む平面内における傾斜角度、すなわち、観察光軸Ｏ2 の傾きＯ2 ′が光軸Ｏ1 に対して４５°になるように調整する。
【００５５】
上記メインミラー調整および後述するサブミラー調整を行った後に軸部１８ｂをミラーボックス１の壁部に接着し、メインミラー調整ピン１８の位置を固定する。
【００５６】
上述したメインミラー枠４の傾斜調整を行った状態でミラー調整板８をミラーボックス１のガイドピン１ｉ，１ｊに沿って微少移動させる。その移動によりメインミラー枠４の回動軸部４ｂがミラー調整板８とともにメインミラー５の反射面に沿って該反射面の傾斜を変化させることなくＤ3 方向に移動する。該回動軸部４ｂの移動によりメインミラー枠４に支持されているサブミラー枠６のサブミラー７が他方の回動軸部４ａの端部を通り、かつ、メインミラー反射面に垂直な軸と平行な軸を中心に微少回動し、測距光軸Ｏ3 の方向の左右方向成分が変化して、その傾きＯ3 ″をＡＦユニット３８の受光部左右中心に合致するように調整する（図１９）。該サブミラー調整を行ったところでワッシャ４３を介してビス４２をビス穴１ｈに締め付け、ミラー調整板８を固定する。
【００５７】
なお、ビス４２によるミラー調整板８の固定保持力が不足する場合は、ミラー調整板８のビス挿通穴８ｇ，８ｈを挿通させた２本のビスをミラーボックス１のビス穴１ｋ，１ｎに螺着固定することによりミラー調整板８の固定をさらに確実にすることもできる。
【００５８】
上述のミラーユニット３の観察状態ではサブミラー枠６は、サブミラーばね１６の付勢力を受けてその背面当接部６ｅ（図８）がミラー調整板８のサブミラー調整ピン１９の外周に当接している（図１８）。その当接状態で該調整ピン１９を六角穴部１９ａ（図５）により回転調整すると、光軸Ｏ1 に直交する水平軸まわりのメインミラー５に対するサブミラー枠６（サブミラー７の反射面）の相対的傾斜角度、すなわち、測距光軸Ｏ3 の前後方向の傾きＯ3 ′（図１７，１８）が変化する。その調整により該傾きＯ3 ′をＡＦユニット３８の受光面前後方向中心に合致させる。その後、調整ピン１９の軸部をミラー調整板８に接着し、該調整ピン１９の位置を固定する。
【００５９】
上述した調整作業によりミラー装置１０におけるミラーユニット３の観察光軸Ｏ2 および測距光軸Ｏ3 の角度調整を行うことができ、ミラーユニット３のファインダによる被写体像の観察とＡＦユニットによる被写体の測距が可能な状態と、ＣＣＤ４０による撮像の可能な状態との切り替えが可能な状態が得られる。
【００６０】
上述したように本実施形態のミラー装置１０は、ミラーチャージレバー９の回動駆動によってメインミラー枠４に保持されるメインミラー５を撮影光軸Ｏ1 上に所定の角度で傾斜した観察位置と、該光軸Ｏ1 から退避した退避位置とに回動移動させることができ、同時に該メインミラー枠４に支持されたサブミラー枠６に保持されるサブミラー７も共に該光軸Ｏ1 上に所定の角度で傾斜した測距位置と、該光軸Ｏ1 から退避した折りたたみ位置とに回動移動させることができる。そして、回動駆動されるメインミラー枠４の両端の回動軸部４ａ，４ｂがミラーボックス１およびミラー調整板８のＶ字部を有する軸受け部１ｄ，８ｄにばね付勢力を受けた状態でそれぞれ該Ｖ字部上の２点に当接した状態で支持される。したがって、上記観察位置と退避位置とに繰り返し回動駆動された場合でも上記回動軸部と上記軸受け部との相対嵌合位置は変化せず、メインミラー５およびサブミラー７の繰り返し位置精度のよい回動状態が得られる。
【００６１】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００６２】
本発明によるミラー装置は、回動可能に支持されるミラー手段を有するミラー装置において、上記ミラー手段の回動支持位置の繰り返し位置精度のよいミラー装置としての利用が可能である。
【図面の簡単な説明】
【００６３】
【図１】本発明の一実施形態のミラー角度調整装置を内蔵する一眼レフレックスカメラのためのミラー装置を左側前方から見た分解斜視図である。
【図２】図１のミラー装置を前方側（マウント側）から見た斜視図である。
【図３】図１のミラー装置を左側（ミラーチャージレバー側）から見た斜視図である。
【図４】図１のミラー装置の左側面図である。
【図５】図１のミラー装置を右側（ミラー調整板側）から見た斜視図である。
【図６】図１のミラー装置のミラー調整板を外した状態を右側後方から見た分解斜視図である。
【図７】図１のミラー装置のミラー調整板を外した状態を左側後方から見た分解斜視図である。
【図８】図１のミラー装置のミラーユニットを右側前方から見た分解斜視図である。
【図９】図８のミラーユニットを左側前方から見た分解斜視図である。
【図１０】図８のミラーユニットが観察位置にあるときの右側面図である。
【図１１】図１のミラー装置のミラー調整板を内側後方より見た斜視図である。
【図１２】図１のミラー装置のミラー調整板を内側前方より見た斜視図である。
【図１３】図８のミラーユニットのメインミラー枠の支持軸部がサブミラー枠の軸穴部に嵌入し、Ｖ字形状部に当接した状態を示す図である。
【図１４】図８のミラーユニットのメインミラー枠の一方の回動軸部がミラー調整板のＶ字状溝で支持された状態を示す図である。
【図１５】図８のミラーユニットのメインミラー枠の他方の回動軸部がミラーボックスの軸穴部で支持された状態を示す図である。
【図１６】図１のミラー装置に適用されるメインミラー調整ピンの断面図である。
【図１７】図１のミラー装置におけるミラーユニットの観察光軸および測距光軸の傾斜調整状態を示す模式図である。
【図１８】図１のミラー装置におけるメインミラーとサブミラーの角度切り換え状態を示す模式的側面図である。
【図１９】図１８をＡ方向から見た図であって、図１のミラー装置にて、メインミラー枠の回動軸部を位置調整したときの測距光軸の変化状態を示す。
【符号の説明】
【００６４】
１ｄ…軸穴部（第二の軸受け部）
４ａ，４ｂ
…回動軸部（回動軸）
４ｃ…突部
５  …メインミラー（ミラー手段）
８ｄ…Ｖ字状溝（第一の軸受け部）
１３  …ミラーダウンばね（第二のばね）
１５  …軸押圧ばね（第一のばね）
【図１】
2007114511.tif 000003
【図２】
2007114511.tif 000004
【図３】
2007114511.tif 000005
【図４】
2007114511.tif 000006
【図５】
2007114511.tif 000007
【図６】
2007114511.tif 000008
【図７】
2007114511.tif 000009
【図８】
2007114511.tif 000010
【図９】
2007114511.tif 000011
【図１０】
2007114511.tif 000012
【図１１】
2007114511.tif 000013
【図１２】
2007114511.tif 000014
【図１３】
2007114511.tif 000015
【図１４】
2007114511.tif 000016
【図１５】
2007114511.tif 000017
【図１６】
2007114511.tif 000018
【図１７】
2007114511.tif 000019
【図１８】
2007114511.tif 000020
【図１９】
2007114511.tif 000021